(57)【要約】【課題】ごみなどのノイズ要素の検知精度の低下を抑制しながら、検知処理をより高速化すること。【解決手段】読取ガラス上で副走査方向に搬送される原稿の画像データを読み取るために、前記読取ガラスの下方において、搬送される原稿の主走査方向の画像データを読み取る読取手段と、前記読取手段による原稿間読み取りの結果に基づいて前記読取ガラス上のノイズ要素を検知する検知手段と、を備える画像読取装置であって、前記検知手段は、前記原稿間において、前記主走査方向を複数に分割した領域の少なくともひとつの領域を検知し、今回の領域の原稿間読み取りの結果とそれ以前の前記原稿間に読み取った他の領域の原稿間読み取りの結果とに基づいて前記主走査方向の前記ノイズ要素の位置を検知する。【選択図】  図６
2015088915.tif 000002
【特許請求の範囲】
【請求項１】
読取ガラス上で副走査方向に搬送される原稿の画像データを読み取るために、前記読取ガラスの下方において、搬送される原稿の主走査方向の画像データを読み取る読取手段と、
前記読取手段による原稿間読み取りの結果に基づいて前記読取ガラス上のノイズ要素を検知する検知手段と、
を備える画像読取装置であって、
前記検知手段は、前記原稿間において、前記主走査方向を複数に分割した領域の少なくともひとつの領域を検知し、今回の領域の原稿間読み取りの結果とそれ以前の前記原稿間に読み取った他の領域の原稿間読み取りの結果とに基づいて前記主走査方向の前記ノイズ要素の位置を検知する、
ことを特徴とする画像読取装置。
【請求項２】
読取ガラス上で副走査方向に原稿を搬送可能な搬送手段と、
前記読取ガラスの下方において主走査方向に配列される複数の読取素子を備える読取手段と、
前記読取手段による原稿間読み取りの結果に基づいて前記読取ガラス上のノイズ要素を検知する検知手段と、
を備える画像読取装置であって、
前記読取手段は、
配列順で奇数の前記読取素子と、配列順で偶数の前記読取素子とを、原稿間読み取り毎に切り替えて原稿間読み取りを行い、
前記検知手段は、
直近の前記奇数及び前記偶数の前記読取素子の読取結果に基づいて前記ノイズ要素の位置を検知可能である、
ことを特徴とする画像読取装置。
【請求項３】
読取ガラス上で副走査方向に原稿を搬送可能な搬送手段と、
前記読取ガラスの下方に配置される読取手段と、
前記読取手段による原稿間読み取りの結果に基づいて前記読取ガラス上のノイズ要素を検知する検知手段と、
を備える画像読取装置であって、
前記読取手段は、
前回の原稿間読み取りの結果に基づく前記検知手段の検知結果に基づいて、今回の原稿間読み取りの解像度を変更可能である、
ことを特徴とする画像読取装置。
【請求項４】
請求項３記載の画像読取装置であって、
前記読取手段は、
１頁目の原稿の読取直前の原稿間読み取りの結果に基づく前記検知手段の検知結果がノイズ要素の存在を示す場合、２頁目以降の原稿の読取直前の原稿間読み取りを相対的に高解像度で行い、
１頁目の原稿の読取直前の原稿間読み取りの結果に基づく前記検知手段の検知結果がノイズ要素の存在を示さない場合、２頁目以降の原稿の読取直前の原稿間読み取りを相対的に低解像度で行う、
ことを特徴とする画像読取装置。
【請求項５】
請求項３記載の画像読取装置であって、
前記読取手段は、
前回の原稿間読み取りの結果に基づく前記検知手段の検知結果がノイズ要素の存在を示す場合、今回の原稿間読み取りを相対的に高解像度で行い、
前回の原稿間読み取りの結果に基づく前記検知手段の検知結果がノイズ要素の存在を示さない場合、今回の原稿間読み取りを相対的に低解像度で行う、
ことを特徴とする画像読取装置。
【請求項６】
請求項３記載の画像読取装置であって、
前記読取手段は、
１頁目の原稿の読取直前の原稿間読み取りの結果に基づく前記検知手段の検知結果がノイズ要素の存在を示す場合、
ノイズ要素から所定の範囲内の領域における２頁目以降の原稿の読取前の原稿間読み取りを相対的に高解像度で行い、
前記領域外における２頁目以降の原稿の読取前の原稿間読み取りを相対的に低解像度で行う、
ことを特徴とする画像読取装置。
【請求項７】
請求項３記載の画像読取装置であって、
前記読取手段は、
前回の原稿間読み取りの結果に基づく前記検知手段の検知結果がノイズ要素の存在を示す場合、
ノイズ要素から所定の範囲内の領域における今回の原稿間読み取りを相対的に高解像度で行い、
前記領域外における今回の原稿間読み取りを相対的に低解像度で行う、
ことを特徴とする画像読取装置。
【請求項８】
読取ガラス上で副走査方向に原稿を搬送可能な搬送手段と、
前記読取ガラス上を搬送される原稿を読み取り可能な読取手段と、
前記読取手段による原稿間読み取りの結果に基づいて前記読取ガラス上のノイズ要素を検知する検知手段と、
を備える画像読取装置であって、
前記読取手段は、
原稿間読み取りを、原稿中央部に相当する領域を相対的に高解像度で、原稿端部に相当する領域を相対的に低解像度で、行う、
ことを特徴とする画像読取装置。
【請求項９】
読取ガラス上で副走査方向に搬送される原稿の画像データを読み取るために、前記読取ガラスの下方において、搬送される原稿の主走査方向の画像データを読み取る読取手段と、
前記読取手段による原稿間読み取りの結果に基づいて前記読取ガラス上のノイズ要素を検知する検知手段と、
を備える画像読取装置の制御方法であって、
前記検知手段によって、前記原稿間において、前記主走査方向を複数に分割した領域の少なくともひとつの領域を検知する工程と、
今回の領域の原稿間読み取りの結果とそれ以前の前記原稿間に読み取った他の領域の原稿間読み取りの結果とに基づいて前記主走査方向の前記ノイズ要素の位置を検知する工程と、を備える、
ことを特徴とする制御方法。
【請求項１０】
読取ガラス上で副走査方向に原稿を搬送可能な搬送手段と、
前記読取ガラスの下方に配置される読取手段と、
前記読取手段による原稿間読み取りの結果に基づいて前記読取ガラス上のノイズ要素を検知する検知手段と、
を備える画像読取装置の制御方法であって、
前記検知手段によってノイズ要素を検知する工程と、
前回の原稿間読み取りの結果に基づく前記検知手段の検知結果に基づいて、今回の原稿間読み取りの解像度を変更する工程と、を備える、
ことを特徴とする制御方法。
【請求項１１】
読取ガラス上で副走査方向に原稿を搬送可能な搬送手段と、
前記読取ガラス上を搬送される原稿を読み取り可能な読取手段と、
前記読取手段による原稿間読み取りの結果に基づいて前記読取ガラス上のノイズ要素を検知する検知手段と、
を備える画像読取装置の制御方法であって、
前記読取手段による原稿間読み取りを、原稿中央部に相当する領域を相対的に高解像度で、原稿端部に相当する領域を相対的に低解像度で、行う工程と、
前記検知手段によってノイズ要素を検知する工程と、を備える、
ことを特徴とする制御方法。
【発明の詳細な説明】
【技術分野】
【０００１】
本発明は画像読取装置及び制御方法に関し、特に、ごみや汚れといったノイズ要素の検知技術に関する。
【背景技術】
【０００２】
自動原稿搬送装置（ＡＤＦ。AutoDocumentFeeder）を使って原稿束から原稿を１枚ずつ流し読みガラス上に搬送して読み取る画像読取装置が知られている。流し読みガラスにゴミや汚れがある場合、読み取った画像に黒いスジとなるノイズが現れる。このため、流し読みガラス上のゴミ等のノイズ要素を検知し、読み取り画像の補正を行うことが知られている。
【０００３】
ところで、複数の原稿を連続して読み取る場合、ユーザがその途中で流し読みガラスを清掃することはできない。ごみや汚れは連続読取中に出現、移動、消滅する場合がある。そこで、各原稿の読取直前のノイズ要素の検知及び補正処理が必要とされる。
【０００４】
しかし、そのためには必要な処理時間分だけ原稿間を空けて搬送する必要がある（例えば１００ミリ秒）。画像読取の効率を上げるためには、原稿間をなるべく短くしたほうが有利だが、ノイズ要素の検知のための時間がボトルネックとなり、原稿間を短くすることが困難な場合がある。
【０００５】
ノイズ要素が存在する画素を画像読取中に補正する方式の場合、原稿画像の読取解像度とノイズ読取解像度は基本的に同じとする必要がある。これは画像読取解像度が高い場合は、ノイズ要素の検知時間も長くかかることを意味する。そこで、特許文献１には、ノイズ要素の検知精度をユーザが「高速、標準、高精度」の中から選択できるようにする技術が開示されている。
【先行技術文献】
【特許文献】
【０００６】
【特許文献１】特開２００５−２６９３５３号公報
【発明の概要】
【発明が解決しようとする課題】
【０００７】
特許文献１の装置では、「高速」を選択すれば読取効率は向上するが、ノイズ要素の検知精度は低下する。したがって、原稿の読取画像の品質も低下する場合がある。
【０００８】
本発明の目的は、ノイズ要素の検知精度の低下を抑制しながら、検知処理をより高速化することにある。
【課題を解決するための手段】
【０００９】
本発明によれば、例えば、読取ガラス上で副走査方向に搬送される原稿の画像データを読み取るために、前記読取ガラスの下方において、搬送される原稿の主走査方向の画像データを読み取る読取手段と、前記読取手段による原稿間読み取りの結果に基づいて前記読取ガラス上のノイズ要素を検知する検知手段と、を備える画像読取装置であって、前記検知手段は、前記原稿間において、前記主走査方向を複数に分割した領域の少なくともひとつの領域を検知し、今回の領域の原稿間読み取りの結果とそれ以前の前記原稿間に読み取った他の領域の原稿間読み取りの結果とに基づいて前記主走査方向の前記ノイズ要素の位置を検知する、ことを特徴とする画像読取装置が提供される。
【発明の効果】
【００１０】
本発明によれば、ノイズ要素の検知精度の低下を抑制しながら、検知処理をより高速化することが可能となる。
【図面の簡単な説明】
【００１１】
【図１】本発明の一実施形態に係る画像読取装置の断面図。
【図２】図１の画像読取装置の内部構成を示すブロック図。
【図３】（Ａ）は輝度値の取得例を示す図、（Ｂ）は補正例の説明図。
【図４】回避処理の読取位置の例を示す図。
【図５】流し読み処理のフローチャート。
【図６】（Ａ）〜（Ｃ）は間引き読み取りの説明図。
【図７】（Ａ）は偶数番号の読取素子を用いた原稿間読み取りの結果の例、（Ｂ）は奇数番号の読取素子を用いた原稿間読み取りの結果の例を示す。
【図８】全読取素子分の読取結果の例を示す。
【図９】（Ａ）〜（Ｄ）は別の間引き方法の説明図。
【発明を実施するための形態】
【００１２】
＜第１実施形態＞
図１は本発明の一実施形態に係る画像読取装置１００の断面図である。図中、Ｄ１は主走査方向を示し、Ｄ２は副走査方向を示す。主走査方向Ｄ１は原稿の幅方向であり、副走査方向Ｄ２は主走査方向Ｄ１と直交する方向である。
【００１３】
画像読取装置１００は、読取ユニット１０１と、読取ガラス１０２と、プラテンガラス１０３とを備える。読取ユニット１０２は、主走査方向に配列される複数の読取素子（例えば光電変換素子）から構成される画像読取センサ（例えばリニアイメージセンサ）、原稿を照明する原稿照明ランプ、原稿の反射光を画像読取センサに導光する光学系等を備える。読取ユニット１０２は、不図示の移動機構により副走査方向に平行移動可能である。
【００１４】
画像読取装置１００は、原稿の読取モードとして、通常読取モードと、流し読みモードとを選択可能である。通常読取モードは、読取ユニット１０２をプラテンガラス１０３下で移動することでプラテンガラス１０３上に載置された原稿を走査してその画像を読み取るモードである。流し読みモードは、読取ユニット１０１を、流し読みガラスである読取ガラス１０２の下方に配置し、読取ガラス上を搬送される原稿を読み取るモードである。
【００１５】
読取ガラス１０２上で副走査方向に原稿を搬送可能な搬送機構として、本実施形態の場合、以下の構成を備える。すなわち、画像読取装置１００は、シート状の原稿を積載可能な原稿トレイ１１１を有する。原稿トレイ１１１上の原稿は、ピックアップローラ１１２により順次その最上位の原稿から搬送される。
【００１６】
ピックアップローラ１１２により搬送された原稿は分離ローラ２０３及び分離パッド２０４により一枚ずつの原稿に分離される。分離された原稿は、搬送ローラ対１１５〜１１７により読取ガラス１０２と搬送ローラ１０４との間を通過するように搬送され、通過の際に、読取ユニット１０１により画像データが読み取られる。
【００１７】
画像が読み取られた原稿は排出ローラ対１１８により排出トレイ１１９上に排出される。原稿の両面を読み取る場合には排出ローラ対１１８の逆転により、原稿が再び装置内を搬送されることになる。
【００１８】
図２は画像読取装置１００の内部構成を示すブロック図である。画像読取装置１００は、ＣＰＵ２０１と、ＲＡＭ２０２と、ＲＯＭ２０３と、通信Ｉ／Ｆ２０４と、パネル操作部２０５と、画像処理部２０６と、画像メモリ２０７と、搬送モータ制御部２０８と、画像読取部２０９と、を有する。
【００１９】
ＣＰＵ２０１は、装置全体の動作を制御する。ＲＡＭ２０２は、ＣＰＵ２０１の作業領域及びデータの一時記憶領域である。ＲＯＭ２０３は、画像読取装置を駆動するためのファームウェアプログラムや、ファームウェアプログラムを制御するためのブートプログラムが書き込まれ、ＣＰＵ２０１によって使用される。
【００２０】
通信Ｉ／Ｆ２０４は、外部装置と接続し、これを介して画像データが転送される。パネル操作部２０５は、ユーザが画像読取装置１００の各種設定を行ったり、その確認を行ったりするためのものである。画像処理部２０６は、画像データを出力形態に合わせて加工するためのものである。システムバス２００は、ＣＰＵ２０１と他の各要素とを接続する。
【００２１】
次に、流し読みモードにおける原稿画像の補正について説明する。読取ガラス１０２にゴミや汚れ等のノイズ要素が存在する場合、読み取った原稿画像に黒いスジが現れる。そこで、ノイズ要素を検知し、原稿画像を補正する（以下、ノイズ対策と呼ぶ場合がある）。本実施形態におけるノイズ対策は３段階に分けることができる。
【００２２】
第一段階は、ノイズ要素の有無とその位置（領域）を判断する処理である。これは、原稿の読み取り直前に読取ガラス１０２を読取ユニット１０１読み取ることにより行う。これを本書では「原稿間読み取り」と呼ぶ。なお、１枚目の原稿や、原稿が１枚しか無い場合に、その読取前に読取ガラス１０２を読み取ることも「原稿間読み取り」に含まれる。
【００２３】
原稿間読み取りにより、読取ユニット１０１の各読取素子（画素）の輝度値が取得される。図３（Ａ）はその一例を示す。横軸は各読取素子を示し、主走査方向の配列順で番号を付している。ノイズ要素の有無を判別する閾値を所定の方法で設定する。例えば取得した輝度値の平均値を使って設定する。そして、閾値を下回る領域とその周辺にノイズ要素が存在したと判断する。図３（Ａ）の例では、番号１２〜１４の読取素子の輝度値が閾値を下回っており、その周辺２素子分を含めて、番号１０〜１６の読取素子の位置にノイズ要素が存在したと判断している。
【００２４】
第二段階は、原稿の読み取り画像中のノイズ要素の画像を補正する処理である。本実施形態では、原稿画像を読み取りながら、ノイズ要素の存在領域の画素を別の画素を使って補正する場合を想定している。これにより、黒スジの発生を防止することができる。図３（Ｂ）はその一例を示し、ノイズ要素の存在領域の４画素ＰＧを、その外側の画素で置換することで補正する例である。
【００２５】
第三段階は、ノイズ要素の検知を行う位置を決定する処理である。これを回避処理と呼ぶことにする。回避処理では、例えば、一単位の原稿の画像読取後などに、読取ユニット１０１の読取位置を変えて複数個所で読取ガラス１０２を読み取る。そして、ノイズ要素が無い読取位置もしくは一番少ない読取位置で、次回の原稿間読み取りや原稿読取を行う。これにより、ノイズ要素の補正を極力行わずに済ませることができる。図４は回避処理の読取位置の例Ｐ１〜Ｐ３を示す図である。３カ所でノイズ要素の検知を行い、最も条件の良い読取位置を選択する。
【００２６】
次に、流し読みモードにおけるＣＰＵ２０１の処理例（流し読み処理）について図５を参照して説明する。ＣＰＵ２０１は、ユーザから画像読取開始の指示があると、最初にノイズ要素を判別する閾値を算出する（Ｓ３０１）。既に説明したように、これは取得した輝度値の平均値などを使用する。
【００２７】
Ｓ３０２では原稿間読み取りとノイズ要素の検知を行う。ノイズ要素が検知されなかった場合は、Ｓ３０４へ進み、補正無に設定する。ノイズ要素が検知された場合は、Ｓ３０５へ進み、補正ありに設定すると共に、ノイズ要素の位置を決定する。
【００２８】
Ｓ３０６では、原稿を搬送し、その画像読み取りを行う。Ｓ３０５で補正ありに設定した場合は、画像読み取りと共にノイズ要素の画像を補正する。原稿画像の読み取りが終了すると、Ｓ３０７へ進み、次原稿があるか否かを判定する。次原稿がある場合はＳ３０１に戻って同様の処理を繰り返す。次原稿が無い場合はＳ３０８へ進み、回避処理を行う。その後、一単位の処理を終了する。
【００２９】
次に、原稿読み取り速度の向上方法について説明する。原稿画像読取の効率を上げるためには、原稿間をなるべく短くしたほうが有利である。そこで、主走査方向を複数に分割した領域の少なくともひとつの領域を検知する。
【００３０】
本実施形態の場合、具体的には、Ｓ３０２では、使用する読取素子を間引いて原稿間読み取りを行う。図６はその説明図である。図６（Ａ）は記号の説明である。四角形の「ゴミ検知」は、原稿間読み取りにおいて読取ユニット１０１の全読取素子を使用することを示す。相対的に高解像度の読み取りとなる。三角形の「偶」は、原稿間読み取りにおいて、配列順で偶数番号の読取素子を使用することを示す。つまり、奇数番号の読取素子は間引き対象として使用せず、相対的に低解像度の読み取りとなる。三角形の「奇」は、原稿間読み取りにおいて、配列順で奇数番号の読取素子を使用することを示す。つまり、偶数番号の読取素子は間引き対象として使用せず、相対的に低解像度の読み取りとなる。
【００３１】
図６（Ｂ）及び（Ｃ）は２頁分の原稿を連続して流し読みモードで読み取る場合の処理の流れを示している。図６（Ｂ）は比較例として従来の処理例を示している。図６（Ｃ）は本実施形態の処理例を示している。いずれの処理例においても、原稿間読み取り→原稿画像読み取り及びノイズ要素の補正の順に処理が進み、最後に回避処理を行う。
【００３２】
図６（Ｂ）に示す従来例では、各頁の原稿間読み取りにおいて、毎回全読取素子を使用する。その分、処理速度は長くなる。
【００３３】
一方、図６（Ｃ）に示す本実施形態では、１頁目の原稿間読み取りでは偶数番号の読取素子を用い、２頁目の原稿間読み取りでは奇数番号の読取素子を用いる。いずれの場合も、半数の読取素子分の画素が間引かれることになる。このため、読取時間及びノイズ要素の検知に要する処理時間を従来よりも短縮することができる。
【００３４】
図７（Ａ）は偶数番号の読取素子を用いた原稿間読み取りの結果の例を示し、図７（Ｂ）は奇数番号の読取素子を用いた原稿間読み取りの結果の例を示す。いずれの場合も、ノイズ要素が存在するか否かを判断するためには十分である。
【００３５】
但し、ノイズ要素が存在すると判定した場合に、Ｓ３０５でノイズ要素の位置を決定するためのデータとしては、全読取素子を使用した場合よりも精度が劣る場合がある。そこで、ノイズ要素の位置を検知する場合には、今回の領域の原稿間読み取りの結果とそれ以前の原稿間に読み取った他の領域の原稿間読み取りの結果とを参照する。本実施形態の場合、具体的には、１頁目の原稿間読み取りで得た偶数番号の読取素子の読み取り結果と、２頁目の原稿間読み取りで得た奇数番号の読取素子の読み取り結果とを用いる。つまり、図７（Ａ）のデータと図７（Ｂ）のデータとを組み合わせて、図８に示すように全読取素子分の読取結果のデータを得る。
【００３６】
これにより、Ｓ３０５でノイズ要素の位置を検知可能となる。つまり、図８の全読取素子分の読取結果のデータを用いて位置（領域）を検知する。これにより、ノイズ要素の検知精度の低下を抑制しながら、検知処理をより高速化することができる。
【００３７】
なお、本実施形態では、２頁目の原稿間読み取りが完了した段階で全読取素子分の読取結果が得られるが、１頁目の原稿間読み取りの段階では、偶数番号の読取素子の読み取り結果しか得られていない。
【００３８】
したがって、１頁目でノイズ要素の存在が検出された場合、その位置検出が問題となるが、以下の対応方法がある。第一には、位置検出精度が劣るが偶数番号の読取素子の読み取り結果からノイズ要素の位置を決定する。
【００３９】
第二には、１頁目の原稿間読み取りについては従来と同様に全読取素子を使用し、２頁目以降の原稿間読み取りについては、偶数番号の読取素子か奇数番号の読取素子を用いるようにする。１頁目の処理のみ相対的に長くなるが、２頁目以降は高速化が可能である。１頁目でノイズ要素の存在が検出された場合は、全読取素子の読取結果を使用してノイズ要素の位置を検知する。２頁目以降でノイズ要素の存在が検出された場合は、その頁の原稿間読み取りの結果を、前回の原稿間読み取りの結果で補って全読取素子分の読み取り結果を使用してノイズ要素の位置を検知できる。
【００４０】
なお、本実施形態では、１頁目の原稿間読み取りでは偶数番号の読取素子を用い、２頁目の原稿間読み取りでは奇数番号の読取素子を用いたが、頁と読取素子の関係はこの逆でもよいことはいうまでもない。
【００４１】
また、本実施形態では２頁分の原稿を連続して流し読みモードで読み取る場合を例示したが、３頁以上の頁数分の原稿を連続して読み取る場合も同様であり、その場合、ノイズ要素の位置検知に用いる全読取素子分の読取結果は、直近の２回分の原稿間読み取り結果を用いればよい。
【００４２】
また、本実施形態では、２回の原稿間読み取りによって全読取素子分の読取結果が得られるように、間引き対象の読取素子を偶数暗号と奇数番号とで切り替えながら各回の原稿間読み取りを間引いて行った。しかし、２回に限られず３回以上も含む所定回数分の原稿間読み取りによって、全読取素子分の読取結果が得られるように、間引き対象の読取素子を切り替えながら各回の原稿間読み取りを間引いて行ってもよい。例えば、所定回数を３回とする場合、Ｎ番目の原稿間読み取りを１番、４番、７番．．．の読取素子で行い、Ｎ＋１番目の原稿間読み取りを２番、５番、８番．．．の読取素子で行い、Ｎ＋２番目の原稿間読み取りを３番、６番、９番．．．の読取素子で行えばよい。
【００４３】
以上の通り、本実施形態は、原稿間において、主走査方向を複数に分割した領域の少なくともひとつの領域を検知し、今回の領域の原稿間読み取りの結果とそれ以前の原稿間に読み取った他の領域の原稿間読み取りの結果とに基づいて主走査方向のノイズ要素の位置を検知するものである。主走査方向の領域の分割の仕方は、上記の例以外であってもよい。
【００４４】
＜第２実施形態＞
前回の原稿間読み取りの結果に基づくノイズ要素の検知結果に基づいて、今回の原稿間読み取りの解像度を変更可能としてもよい。
【００４５】
図９（Ａ）はその一例を示す。同図の例は、１頁目の原稿の読取直前の原稿間読み取りの結果に基づくノイズ要素の検知結果により、２頁以降の原稿間読み取りの解像度を一律に決める例である。ゴミなどのノイズ要素は、経験的に、その存在や位置が急変しない場合が多いことに着目したものである。四角形の「高」は相対的に高解像度で原稿間読み取りを行い、三角形の「低」は相対的に低解像度で原稿間読み取りを行う場合を示している。高解像度の場合、例えば、全読取素子を用い、低解像度の場合、例えば、偶数番号又は奇数番号の読取素子を用いる。
【００４６】
図９（Ａ）の例では、１頁目の原稿の原稿間読み取りを高解像度で行い、ノイズ要素が検知されなかった場合を想定している。このため、２頁以降の原稿の原稿間読み取りは低解像度で行っている。これにより、処理の高速化が図れる。仮に、１頁目の原稿の原稿間読み取りでノイズ要素が検知されると、２頁以降の原稿の原稿間読み取りは高解像度で行うことになる。なお、１頁目の原稿の原稿間読み取りは低解像度で行うことも可能である。
【００４７】
図９（Ｂ）は別例を示す。同図の例は、前回の原稿間読み取りの結果に基づくノイズ要素の検知結果に応じて、今回の原稿間読み取りの解像度を切り替える例である。ゴミなどのノイズ要素の存在や位置が急変する場合に対応可能とすることに着目した例である。
【００４８】
図９（Ｂ）の例では、１頁目の原稿の原稿間読み取りを低解像度で行い、ノイズ要素が検知された場合を想定している。このため、２頁目の原稿の原稿間読み取りは高解像度で行っている。また、２頁目の原稿の原稿間読み取りでは、ノイズ要素が検知されなかった場合を想定している。このため、３頁目の原稿の原稿間読み取りは低解像度で行っている。更に、３頁目の原稿の原稿間読み取りでは、ノイズ要素が検知された場合を想定している。このため、４頁目の原稿の原稿間読み取りは高解像度で行っている。
【００４９】
＜第３実施形態＞
原稿間読み取りの解像度を、主走査方向の位置に応じて異なるものとしてもよい。
【００５０】
図９（Ｃ）はその一例を示す。ノイズ要素の存在により発生する黒いスジは原稿中央部では目立つが、周辺部では比較的目立たない。そこで、本例は原稿中央部ではノイズ要素の検知精度を高くし、原稿端部では検知精度を低くすることにした例である。
【００５１】
図９（Ｃ）の例では、原稿間読み取りを、原稿の幅方向中央部に相当する領域を相対的に高解像度で、原稿端部に相当する領域を相対的に低解像度で、それぞれ行う場合を例示している。例えば、原稿の幅方向中央部に位置する読取素子群については、全読取素子を使用して原稿間読み取りを行い、原稿の幅方向端部に位置する読取素子群については、全読取素子を使用せず、間引いて原稿間読み取りを行う。これにより、全領域に渡って全読取素子を使用する場合よりも処理の高速化を図れる。なお、複数種類のサイズの原稿を読み取り可能とする場合、原稿の幅方向中央部に位置する読取素子群や端部に位置する読取素子群は原稿サイズに応じて変更することも可能である。
【００５２】
図９（Ｄ）は別例を示す。図９（Ｄ）の例は、前回の原稿間読み取りの結果に基づくノイズ要素の検知結果に基づいて、今回の原稿間読み取りの解像度を変更可能とするものである。同図の例では、前回の原稿間読み取りで２か所にノイズ要素（ごみ）が検知された場合を例示している。今回の原稿間読み取りでは、各ノイズ要素から所定の範囲内の領域（同図上側部分と中央下側部分）においては、相対的に高解像度とし、該領域外においては、相対的に低解像度とする。これにより、ノイズ要素が存在する可能性が高い領域は高精度を維持しながら、可能性が低い領域は処理の高速化を図ることができる。
【００５３】
図９（Ｄ）の例は上記第２実施形態の各例と組み合わせ可能である。つまり、１頁目の原稿の読取直前の原稿間読み取りの結果に基づくノイズ要素の検知結果により、２頁以降の原稿間読み取りにおける、高解像度領域、低解像度領域を一律に決めてもよい。また、前回の原稿間読み取りの結果に基づくノイズ要素の検知結果に応じて、今回の原稿間読み取りにおける、高解像度領域、低解像度領域を切り替えてもよい。
【００５４】
なお、本発明は上記実施形態によって限定されるものではなく、その要旨を逸脱しない範囲で種々変形可能であるというのはいうまでもない。
【００５５】
また、本発明は、以下の処理を実行することによっても実現される。即ち、上述した実施形態の機能を実現するソフトウェア（プログラム）を、ネットワーク又は各種記憶媒体を介してシステム或は装置に供給し、そのシステム或は装置のコンピュータ（またはＣＰＵやＭＰＵ等）がプログラムを読み出して実行する処理である。
【図１】
2015088915.tif 000003
【図２】
2015088915.tif 000004
【図３】
2015088915.tif 000005
【図４】
2015088915.tif 000006
【図５】
2015088915.tif 000007
【図６】
2015088915.tif 000008
【図７】
2015088915.tif 000009
【図８】
2015088915.tif 000010
【図９】
2015088915.tif 000011